(57)【特許請求の範囲】
【請求項１】
所定寸法離間して略並行に配置された２個の軌条体構成部材を有する軌条体と、該軌条体をパターのヘッドの打撃面に対してその長手方向が略直角となるようにパターに取り付け得るように構成された取付け手段とを具備し、前記軌条体構成部材はその離間寸法がボールの直径より小さく且つ前記軌条体に該ボールを載せた場合、該ボール底部が該軌条体底部より下方に突出する寸法としたゴルフ練習器において、
前記取付け手段で前記軌条体を前記パターに取り付けた状態で該パターの前記ヘッドの前記打撃面より前方の所定位置に、前記２個の軌条体構成部材の間の床面に静止する前記ボールに対する該軌条体構成部材の幅方向の振れを検知する検知手段を設け、
前記検知手段は前記軌条体の長手方向中心線に略対称な位置に設けられた検知部材を具備し、
前記検知部材には該検知部材の前記軌条体幅方向の間隔を調整することができる調整手段が設けられていることを特徴とするゴルフ練習器。
【請求項２】
前記軌条体は前記パターに前記取付け手段で取り付けた状態で、該取付け手段に対して所定範囲で上下に傾動し得るように構成されていることを特徴とする請求項１に記載のゴルフ練習器。
【発明の詳細な説明】
【０００１】
【発明の属する技術分野】
本発明はゴルフ練習器に関し、特に一連の打撃動作の繰り返しによってパッティングの反復打撃練習が行えるようにしたゴルフ練習器に関するものである。
【０００２】
【従来の技術】
従来この種のゴルフ練習器として、パターと連動して振り出される２個の並行に配置され、所定長さの軌条体構成部材の間の床面（芝面、地面等も含む）に載置したボールをヘッドで打撃し、ある距離だけ床面を転走させ、その後軌条体に沿って元の位置に戻してくるようにしたものがあリ、これらの一連の打撃動作の繰り返しによってパッティングの反復打撃練習が行えるようにしたものである。このボール打撃の際、振り出されたヘッドと連動して振り出された軌条体構成部材はボールの中心より下方側部をすり抜けることができるようになっている。
【０００３】
【発明が解決しようとする課題】
しかしながら上記従来のゴルフ練習器は、パターヘッドと連動して振り出される２個の軌条体構成部材を、床面上に載置した静止しているボールに接触しないように、ボールの中心より下方の側部をすり抜けさせてスイングする必要がある。そのため、下記▲１▼及び▲２▼の現象が発生する。
▲１▼スイングに伴い発生するヘッドの軌条体の幅方向の不可避の振れ
▲２▼練習者がスイングしたときのヘッド底部の描く円弧状軌跡の半径と軌条体のわん曲半径の差異により生じる軌条体の床面からの高さ変動
【０００４】
上記▲１▼，▲２▼の点を考慮すると、前記２個の軌条体構成部材の間隔はボールの直径を越えない範囲でできるだけ広いほうがスイング動作の安定していない初心者でも容易に練習しうるという観点から望ましい。以下上記のことを図４７を用いて説明する。
【０００５】
図４７は上記従来のゴルフ練習器を用いて練習者がスイングした場合の、床面に載置したボールと軌条体断面の位置関係を示す図である。図示するように、パターヘッドと連動して振り出される２個の軌条体構成部材３ａ、３ａは床面３０に載置されたボール６の直径寸法より小さい寸法Ｌ１だけ離間している。この２個の軌条体構成部材３ａ、３ａの間の中央線とボール６の中心とを一致させた状態で且つ床面より微小な高さ寸法ｈになるようにパターを構えてスイングする場合、軌条体構成部材３ａ、３ａのボール６に接触しないで許容される幅方向の最大振れ寸法はｍである。
【０００６】
ところが、上記のように軌条体のわん曲半径と練習者がスイングした場合のヘッドの円弧状軌跡の半径の差により、軌条体構成部材３ａ、３ａの床面からの高さ寸法がｈ１に増加したとすると、この増加状態におけるボール６に接触しない範囲での軌条体構成部材３ａ、３ａの最大振れ寸法はｍ１にまで激減し、僅かな振れで軌条体構成部材３ａ、３ａがボール６に接触してしまいスイングが非常に難しくなる。このことから、上記のように２個の軌条体構成部材３ａと３ａの間隔はボール６の直径寸法を越えない範囲でできるだけ大きいほうが練習し易いということになる。
【０００７】
しかしながら、上記のように２個の軌条体構成部材３ａ、３ａの間隔を広くした場合は、初心者などにとってはラフな打撃練習は行えるものの、高度な技能を有する練習者にとってはパッティング動作の規範とされるボール６の中心を通る目標線に対してパターの打撃面を直角に向けたまま、ヘッド４０の中心を前記目標線から逸脱させないようにスイングする、所謂直線ストロークの高度な管理が行えない欠点がある。
【０００８】
例えば、直径４２ｍｍのゴルフボールに対し、厚さ２ｍｍの軌条体構成部材３ａ、３ａの間隔を４０ｍｍとした場合、軌条体中心がボール中心に一致した状態から軌条体がボール６に接触するまでの許容振れ量は、ボール中心から左右にそれぞれ１０ｍｍもの寸法（スイング誤差）が許容され、スイング誤差を少なくしながら打撃練習をしようとしても、上記従来のゴルフ練習器では行うことができない。
【０００９】
上記従来のゴルフ練習器で小さいスイング誤差（軌条体の振れ）を検知しようとすれば軌条体の間隔を狭くして、スイング途上における軌条体構成部材３ａ、３ａの内側縁がボール６に接触するのを検知するしか術がなく、このように僅かな軌条体の振れによって軌条体構成部材３ａ、３ａがボール６に接触するようにその間隔を狭くするとストローク誤差の大きい初心者には使用できないばかりか、軌条体上に乗り上げた場合のボール６への制動力が低下し、軌条体先端のストッパーへの衝突によりパターに大きな衝撃が伝わる等の不具合が生じる。
【００１０】
本発明は上述の点に鑑みてなされたもので、軌条体の間隔をできるだけ広くして、スイングの不安定な初心者から高い技能を備えた者までが簡単に打撃練習を繰り返すことができ、必要に応じてヘッドのスイートスポットを目標線上（ボール中心が通る線）から逸脱させないようにする高精度のスイングが習得できるゴルフ練習器を提供することを目的とする。
【００１１】
【課題を解決するための手段】
上記課題を解決するため請求項１に記載の発明は、所定寸法離間して略並行に配置された２個の軌条体構成部材を有する軌条体と、該軌条体をパターのヘッドの打撃面に対してその長手方向が略直角となるようにパターに取り付け得るように構成された取付け手段とを具備し、軌条体構成部材はその離間寸法がボールの直径より小さく且つ軌条体に該ボールを載せた場合、該ボール底部が該軌条体底部より下方に突出する寸法としたゴルフ練習器において、取付け手段で軌条体を前記パターに取り付けた状態で該パターのヘッドの打撃面より前方の所定位置に、２個の軌条体構成部材の間の床面に静止するボールに対する該軌条体構成部材の幅方向の振れを検知する検知手段を設け、検知手段は軌条体の長手方向中心線に略対称な位置に設けられた検知部材を具備し、検知部材には該検知部材の軌条体幅方向の間隔を調整することができる調整手段が設けられていることを特徴とする。
【００１２】
また、請求項２に記載の発明は請求項１に記載のゴルフ練習器において、軌条体はパターに取付け手段で取り付けた状態で、該取付け手段に対して所定範囲で上下に傾動し得るように構成されていることを特徴とする。
【００１４】
上記のように検知機構を具備したゴルフ練習器は、軌条体をパターに取り付けて打撃練習を行うに際し、床面に静止したボールに対する軌条体の幅方向の振れが、予め設定した検知機構の設定値以下の場合は検知部材がボールに接触することなくスイングできて打撃練習が行なえるものの、軌条体の幅方向の振れが検知機構の設定値以上の場合は検知部材がボールに接触してスイングすることができないので、通常は視認することのできない打撃目標線に対するヘッドの幅方向振れをスイング途上に簡単に確認することができる。従って、練習者は知らず知らずのあいだに極めて高精度のスイングを習得することができる。
【００１５】
【発明の実施の形態】
以下、本発明の実施の形態例を図面に基づいて説明する。
〔第１実施形態例〕
図１〜図１０は本発明の第１実施形態例であるゴルフ練習器を示す図である。図１は右利き練習者が所持する通常のパターヘッド４０に本発明のゴルフ練習器を装着し前方（ｘ方向）へ打撃するべく構えた状態を示す側面図、図２は平面図、図３は図１のＡ−Ａ断面図、図４は図１のＢ−Ｂ断面図、図５は図２のＣ部を示す分解組立て斜視図、図６は図１のＤ−Ｄ断面図、図７は検知機構の分解組立て斜視図、図８、図９は検知機構の作動図、図１０は第１実施形態例のゴルフ練習器の作動図である。
【００１６】
本ゴルフ練習器は、図１及び図２に示すように通常のパター２３のヘッド４０に取り付けることのできる基板１と、該基板１に傾動機構２を介して連結された軌条体３と、軌条体３の途上に設けられた検知機構４及び軌条体３の先端に設けられたストッパー部材５より成る。軌条体構成部材３ａ、３ａの上面には後に述べる練習時にテークバック寸法を読み取ることができるテークバック読み取り目盛り３１が設けられている。
【００１７】
軌条体３は後方から前方（ｘ方向）に向かって略平行に伸びた２個の軌条体構成部材３ａ、３ａで構成され、軌条体３は凹状にわん曲している。このわん曲半径は、多くの練習者がスイングした場合にパター２３のヘッド４０の底部が描く円弧状軌跡Ｓの半径より適量大きい寸法に形成されている。
【００１８】
２個の軌条体構成部材３ａ、３ａはボール６の直径寸法より適量小さい間隔で配置され、軌条体３上にボールをのせた場合、図３に示すようにボール６の底部が軌条体３の底部から下方に向けて寸法ａだけ突出するように構成される。また、２個の軌条体構成部材３ａ、３ａはその前端部において、ストッパー部材５により一体的に連結されている。
【００１９】
軌条体３の後部には、前方が二股状に開き、底面が前記円弧状軌道Ｓと略等しい半径でわん曲した板状の基板１が配置され、該基板１の前端両側部にパターのヘッド４０の打撃面を宛てがうための打撃面当接体７、７が立設されている。この２個の打撃面当接体７、７は平面的に見て軌条体３の中心線と略直角をなすｚ方向に一直線に配置される。
【００２０】
打撃面当接体７、７の両外側部にはｚ方向のヒンジピン孔を有するヒンジピン取付部材８、８ａが一体的に設けられている。一方、２個の軌条体構成部材３ａ、３ａの後方には前記と同様にｚ方向のヒンジピン孔を有するヒンジ取付部材９、９ａが立設され、軌条体３の中心線に対し同じ側にあるヒンジピン取付部材８、９及び８ａ、９ａのヒンジピン孔には片端にネジ部を有する頭付きヒンジピン１０、１０が遊嵌され、片端にはナット１１が適度に緩く螺入され、接着剤などにより固着されている。
【００２１】
上記のようにヒンジピン１０、１０を介して基板１と軌条体３を連結した状態で、ヒンジピン取付部材９、９ａより後部の軌条体構成部材３ａ、３ａは基板１の底部に略平行に接している。軌条体３はヒンジピン１０、１０を軸として、基板１に対して、図１の実線で示す初期の状態から、破線で示す位置まで少なくとも角度θ１まで反時計方向に回動自在であるが、前記初期状態から時計方向への回動は軌条体構成部材３ａ、３ａの後部が基板１に当接しているから阻止されている。なお、上記初期の状態で軌条体３のわん曲線の後端部の接線と、基板１のわん曲線の前端部の接線は略同じ傾きを有している。
【００２２】
検知機構４は図７に示すように、軌条体３の後方寄りに設けられている。該検知機構４は軌条体３の外側に突出した取付座１２、１２と、該取付座１２、１２の上面にビス１３及びローレットナット１４により取り付けられるＬ字状の検知部材１５、１５とから成る。なお、１６はビス１３を挿入するために取付座１２に設けられた孔、１７は検知部材１５の底辺１８に設けられた長孔、１９は検知部材１５を軌条体３に対して直角方向へ摺動案内するために取付座１２に設けられた案内部材である。２０は検知部材１５に設けられた指標であり、取付座１２に設けられた目盛２１を指すようになっている。なお、２２は取付座１２を軌条体構成部材３ａ、３ａに固着するためのビスである。
【００２３】
上記のように構成された検知機構４はローレットナット１４を緩めた状態では取付座１２に対し、検知部材１５を軌条体３と直角方向に自由に摺動することができ、ローレットナット１４を締め付けることにより、調整範囲の任意の位置で固定でき、一対の検知部材１５、１５の軌条体３の幅方向の間隔を調整できる。この調整は図８に示す最も狭い間隔、即ち軌条体３の中心線（軌条体構成部材３ａと３ａの間の中心線）とボール６の中心が一致した状態で検知部材１５、１５がボール６に接する間隔Ｅから、図９に示す最も広い間隔Ｆ、即ち軌条体３の底面がボール６の底部と略同一高さにある場合、軌条体３の内側にあるボール６が軌条体構成部材３ａ、３ａの内縁に接するまで左右いずれの側に片寄っても、検知部材１５、１５がボール６に接しない間隔Ｆまで自由に行える。
【００２４】
以下、上記構成のゴルフ練習器を通常のパターに取り付けてパッティング練習する方法について説明する。まず、図１、図２に示すように、パター２３のヘッド４０の打撃面２４を打撃面当接体７、７に宛てがい、ヘッド４０の重心位置を軌条体３の中心線に一致させ、押え具２５の前端をヘッド４０の上面に、また後端部の舌辺２６を基板１に設けられた多数個の角孔２７のいずれかに嵌め合わせ、基板１の下方から孔２７ａを介して押入したボルト２８にローレットナット２９を捩じ込んで締め付ける。これにより基板１、軌条体３は共にパターのヘッド４０に一体的に摩擦固定される。
【００２５】
つぎに２個の軌条体構成部材３ａ、３ａの間の床面３０上にボール６を置き、軌条体３の底部を床面３０から微小寸法だけ浮かした状態で通常のパッティング練習するようにパター２３を構える。この状態で軌条体３の底部は図４に示すように床面３０より微小寸法ｂだけ上方にあり、この寸法ｂは図３に示した寸法ａより小さい。従ってボール６は２個の軌条体構成部材３ａ、３ａに接触しない。
【００２６】
次に、図１０に示すように、ヘッド４０を後方に引いてテークバックをとるとヘッド４０の底部は凹状の円弧状軌跡Ｓに沿って軌条体３と共に移動する。この円弧状軌跡Ｓの半径は練習者の身長、姿勢等に関連し異なり、練習者固有のものである。しかしながら前記したように軌条体３のわん曲の半径は、練習者がスイングした場合のヘッド４０の描く円弧状軌跡Ｓの半径より大きい。このため、ヘッド４０の後方への移動が進むにつれて軌条体３の底部はやがて床面３０に接し、その後床面３０を擦りながらヘッド４０に曳かれて後方に移動する。
【００２７】
この移動につれて軌条体３はヒンジピン１０、１０を軸として、ヘッド４０及び基板１に対して角度θ１だけ反時計方向に回転してテークバックが終了する。このテークバックした量は軌条体構成部材３ａ、３ａに設けたテークバック読み取り目盛３１により練習者は上方から視認できる。このテークバックの終了状態で軌条体３の底部は床面３０と点Ｐで接し、床面に静止したままのボール６の位置における床面３０から軌条体３の底部までの高さ寸法はｃとなる。
【００２８】
しかしながら、上記寸法ｃは通常の範囲では円弧軌跡Ｓがどのような半径であっても、常に図３に示した寸法ａより小さくなる。従って、テークバックによって軌条体構成部材３ａ、３ａは床面３０に静止したボール６に接触することはなく、２個の軌条体構成部材３ａ、３ａはテークバック開始から終了までボール６の中心から下方の側部をすり抜ける。
【００２９】
次にヘッド４０を前方に振り出して床面に静止したボール６を打撃するが、この場合は上記したテークバックの場合とは逆の過程をたどり、軌条体３はやはりボール６に接触することなく基板１、つまりヘッド４０に押されて床面３０を擦りながら前方に移動する。そして軌条体３は基板１に対しては前記とは反対に時計方向に角度θ１だけ回転し、図１に示す初期の状態に戻りパターのヘッド４０がボール６を打撃する。この打撃と同時に軌条体構成部材３ａ、３ａの後部が基板１の底面に接触して、その後の軌条体３の時計方向の回転は阻止される。
【００３０】
ヘッド４０に打撃されたボール６は軌条体３の軌条体構成部材３ａ、３ａに接触することなく、ある距離だけ床面３０上を前方に転走する。このボール６の速度はヘッド４０と連動して振り出される軌条体３の速度より大きい。しかしながらヘッドに対する時計方向の回転を阻止された軌条体３はヘッド４０の円弧状軌跡Ｓに沿って上昇しつづけるので、ボール６はやがて軌条体３に乗り上げ、２個の軌条体構成部材３ａ、３ａに跨って転走し始める。
【００３１】
軌条体３上を転走し始めたボール６はその後のヘッド４０の振り出しによって起こる軌条体３の前上がり勾配の増加によって制動され、軌条体３上で失速する。また強く打撃した場合は先端のストッパー部材５に衝突して失速する。軌条体３の上で失速したボール６は２個の軌条体構成部材３ａ、３ａに跨ってヘッド４０の位置まで転がり落ちてくる。
【００３２】
次に、検知機構４の作用について説明する。まず、打撃動作途上における軌条体３の幅方向の振れ寸法を、ボール６の中心を通る目標線に対して図６の寸法ｅ以下の精度で管理しようとする場合は、ローレットナット１４を緩めて検知部材１５をずらし、前記指標２０と目盛２１を合わせて図６に示すボール６の中心と軌条体３の幅方向の中心とが一致した状態でボール６と検知部材１５とが寸法ｅだけ離れるように検知部材１５、１５を固定する。
【００３３】
上記のように検知部材１５と１５の間隔を設定して上述の打撃練習を行うが、先ずヘッド４０を後方に引いてテークバックをとると、初期においてボール６より前方に位置している検知機構４は床面３０上に静止しているボール６の両側部をすり抜けて軌条体３と共にボール６の後方に移動する。
【００３４】
次に、ヘッド４０を前方に振り出すと、検知機構４は再びボール６の両側部をすり抜けて、こんどはボール６の前方に移動する。この時点でボール６はヘッドに打撃され床面３０上を転がり始めるが、ボール６が床面３０を転がる速さは検知機構４が前方へ移動する速度より速いので、ボール６は軌条体構成部材３ａ、３ａに接触することなく床面３０を転がりながら検知機構４をすり抜けて追越し、その後において上記のように軌条体３上に乗り上げる。練習時における検知機構４の作用は上記したように、テークバック時、振り出し時、打撃後の３回にわたって検知機構４とボール６は相互にすり抜け合う。
【００３５】
そして、上記のように検知機構４の検知部材１５と１５の間隔を調整し、検知部材１５、１５がボール６に接触することなく上記打撃練習を行ない得た場合は、テークバック、ベッド４０の前方への振り出し等一連のスイング・打撃動作を通して軌条体３の幅方向の振れ寸法が前記寸法ｅ以下であることが保証される。この寸法ｅを微小寸法とすることにより極めて高精度なパッティング・ストロークの管理が行い得る。なお、上記打撃練習時において、スイング途上の軌条体３の幅方向の振れが寸法ｅ以上であった場合は検知部材１５、１５のいずれかがボール６に接触し、この接触によって練習者はスイングの不良がリアルタイムで確認できる。
【００３６】
特に、上記打撃動作途上に生じる軌条体３の振れは、単なるｚ方向（幅方向）の振れだけでなく、ヘッド４０と検知機構４とが軌条体３の長さ方向に隔たっているので、動作途上のヘッド４０の打撃面の目標方向（ボール６の中心を通る線方向）に対する直角からの傾きが増幅されて現れるので、より一層高精度なパッティング・ストロークの管理が行えるものである。
【００３７】
上記において、とくに３回目のボール６と検知部材１５、１５の「すり抜け」は、打撃されたボール６の転がる方向とヘッド４０つまり軌条体３の振り出す方向が共に一致している場合にのみ可能であり、極めて高精度のスイングチェックが行えるものである。
【００３８】
上記例では検知機構４は軌条体３の後方寄りに設けたが、この検知機構４は更に軌条体３の前方に設けることにより前記した打撃後の「すり抜け」はボール６が軌条体３に乗り上げた後で行わせることができる（乗り上げた後はボール６の中心と軌条体３の幅方向の中心は一致するので、前記寸法ｅはさらに小さい寸法であっても「すり抜け」可能である）。そしてこの場合は寸法ｅを更に小さくして、テークバック時から打撃にいたるまでのボール６に対する軌条体３の振れ、つまりヘッドの振れだけを極めて高精度に管理できる。
【００３９】
本発明の実施形態例１は上述の通りであり、ゴルフ練習器を通常のパターに取り付けるだけで面倒なボール収集などが不要となり、ヘッド４０のスイング精度を練習者各位の所望する精度で管理しながら、手軽にパッテイングの打撃練習が行える。
【００４０】
〔第２実施形態例〕
図１１〜図１４は本発明の第２実施形態例であるゴルフ練習器を示す図である。図１１はゴルフ練習器の側面図、図１２〜図１４は作用を模式的に示した側面図である。図１１において、軌条体３のわん曲半径は多くの練習者がパターをスイングしたときにヘッド４０の底部の描く円弧状軌跡Ｓの半径より適量小さい。
【００４１】
本第２実施形態例では、図１１に示すようにヒンジピン取付部材９、９ａより後方には軌条体構成部材を設けず、基板１の底面と軌条体構成部材３ａ、３ａの底面を略同じ高さに保ち、基板１の前端に設けた打撃面当接体７、７と軌条体３の後端部に設けたヒンジピン取付部材９、９ａの後端との間には寸法ｄの隙間を設けている。
【００４２】
上記ような隙間を設けることにより、基板１に対して軌条体３が、図中に実線で示した状態、即ち基板１の前端部底面の接線と軌条体３の後端部底面の接線とが略一致した状態から、図中に破線で示したように反時計方向には角度θ２、時計方向には角度θ３だけ回転できるように構成される。このように角度θ３だけ時計方向に回転した時点で軌条体構成部材３ａ、３ａの後端部が基板１の打撃面当接体７、７に接触し、それ以上の回転が阻止されるようになる。なお、本第２実施形態例において、上記以外は検知機構を含めて前記第１実施形態例と同じである。
【００４３】
上記構成のゴルフ練習器の作用を図１２〜図１４に基づいて説明する。まず、上記同様にパターを構えた状態から、図１２に示すようにテークバックをとると、軌条体３のわん曲線の半径がスイング時の円弧状軌跡Ｓの半径より小さいので、軌条体３は自重により、ヒンジピン１０、１０を軸にして、ヘッド４０に対して角度θ３だけ時計方向に回転する。そしてテークバック終了時は軌条体３の底部は床面３０と点Ｑで接し、このとき、静止しているボール６の位置における床面３０から軌条体３の底部までの高さ寸法はｃ１となる。
【００４４】
しかしながら、上記寸法ｃ１は通常の範囲では円弧状軌跡Ｓの半径がどのような寸法であっても常に前記図３で示した寸法ａより小さくなり、従って軌条体３をボール６に接触させることなくテークバックをとることができる。
【００４５】
次に、ヘッド４０を前方に振り出してボール６を打撃するが、この場合ボール６を打撃する瞬間までは軌条体３はヘッド４０に対して反時計方向に角度θ３だけ回転して初期状態に戻り、打撃後は図１３に示すように、角度θ３だけ時計方向に回転した後、同方向の回転を阻止され、図１４に示すように、軌条体３は床面３０を離れて円弧状軌跡Ｓに沿って上昇する。
【００４６】
打撃されたボール６は上記実施形態例１のゴルフ練習器と同様軌条体３に乗り上げ制動される。本第２実施形態例の場合はヘッド４０に対する軌条体３の時計方向の回転阻止がボール６の打撃よりやや遅れて起こるので、打撃後も長い時間軌条体３が低い位置にあり、従って、打撃されたボール６が床面３０を転がる距離が長くなる。
【００４７】
なお、上記第２実施形態例は、基板１に対して軌条体３が反時計方向にも角度θ２だけ回転し得る構造となっているので、上記第１実施形態例のように軌条体３のわん曲の半径が円弧状軌跡Ｓの半径より大きい場合にも適用でき、この場合には打撃後、ボール６が床面３０を転がる距離がいっそう長くなる。
【００４８】
〔第２実施形態例の応用例〕
上記第２実施形態例で、図１１における隙間寸法ｄを大きくして、基板１に対する軌条体３の時計方向回転の許容角度θ３を大きくし、更に軌条体３のわん曲半径を適切に選択することにより、図１５に示すように、ヘッド４０で打撃されたボール６を軌条体３に接触させることなく、軌条体３の先端近くまで床面３０を転がして到達させることができる。なお、図１５は上記第２実施形態例の応用例の作用を模式的に示した側面図である。
【００４９】
図１５において、ヘッド４０で打撃されたボール６は上記と同様床面３０を転がり始めるが、打撃後のヘッド４０が円弧状軌跡Ｓの位置Ｈ１、Ｈ２、Ｈ３に進むにつれて軌条体３はその底部が接する床面３０の位置Ｒ１、Ｒ２、Ｒ３と前方に移動し、転がっているボール６の前方の軌条体３を降下させつづける。この降下によって、転走するボール６の位置における床面から軌条体３の底部までの高さ寸法はボール６が軌条体３に乗り上げるほどの高さ（図３の寸法ａ）には達せず、従ってボール６は軌条体３に接触することなく、軌条体３の前端近くまで床面３０を転走する。
【００５０】
軌条体３の前端近くまで転走したボール６は軌条体３に乗り上げるか、またはストッパー部材５に衝突して失速する。打撃後はヘッド４０を初期の位置に戻し、軌条体３の後端部を床面３０に軽く押えつければ、ボール６は軌条体３の上を転がってヘッド４０で戻ってくる。本応用例において、軌条体３のわん曲半径が円弧状軌跡Ｓより大きい場合は、テークバックにより軌条体３が基板１に対し適正角度だけ反時計方向に回転するのは上記第１実施形態例と同じである。
【００５１】
〔第３実施形態例〕
図１６〜図２０は本発明の第３実施形態例であるゴルフ練習器を示す図である。図１６はゴルフ練習器の側面図、図１７は図１６のＨ−Ｈ断面図、図１８〜図２０はその作用を説明するための側面図である。
【００５２】
本第３実施形態例では軌条体３を構成する２個の軌条体構成部材３ａ、３ａは薄いバネ鋼材や樹脂材等のように適度な弾性と可撓性を有する材料で形成され、これらの軌条体構成部材３ａ、３ａの後端部は基板１の前端部下面に図示を省略したカシメ、または接着剤による接着等によって固着されている。軌条体３のわん曲半径は前記第１実施形態例と同様に、多くの練習者がスイングした場合にパター２３のヘッド４０底部が描く円弧状軌跡Ｓの半径より適当寸法だけ大きくしている。
【００５３】
４５は軌条体３上を転がるボール６によって２個の軌条体構成部材３ａ、３ａが軌条体３の幅方向に押し広げられるのを防止するために該２個の軌条体構成部材３ａ、３ａを連結した補強部材であり、該補強部材４５は一連の打撃練習を通して、ボール６に接触することがないように図１７に示すように略トンネル状になっている。なお、上記以外の事項は全て上記第１実施形態例と同じである。
【００５４】
上記構成のゴルフ練習器において、図１６に示すように軌条体３の底部を床面３０から微小寸法だけ浮かした状態でパターを構え、ヘッド４０を後方に引いてテークバックをとると、軌条体３のわん曲半径が円弧状軌跡Ｓの半径より適量大きいことから、軌条体３の底面はやがて床面に接し、軌条体３が後方に移動するにつれて、ヘッド４０と、床面３０に接した部位との間の軌条体３は、そのわん曲半径が初期わん曲半径より小さくなるように撓みながら図１８に示すように、軌条体３の底面は床面３０と点Ｔで接した状態でテークバックが終了する。
【００５５】
上記テークバックが終了した状態で軌条体３の底部は床面３０と点Ｔで接し、床面３０に静止したままのボール６の位置における床面３０からの軌条体３の底部までの高さ寸法はｆとなる。しかしながら、この寸法ｆも通常の範囲では図３で示した寸法ａより小さく、テークバックによって軌条体３が床面に静止したボール６に接触することなく、２個の軌条体構成部材３ａ、３ａはテークバック開始から終了までボール６の中心から下方の側部をすり抜けつづける。
【００５６】
次に、ヘッド４０を前方に振り出してボールを打撃するが、打撃に至るまでは上記テークバックとは逆の過程をたどり、軌条体３自身の弾力による撓みによって小さくなったわん曲半径を初期の半径に戻しながらヘッド４０と共に前方に移動し図１６の状態に戻ってボールを打撃する。
【００５７】
打撃されたボール６は上記と同様に軌条体３に接触することなく前方に転がるものの、やがて円弧状軌跡Ｓに沿って上昇してくる軌条体３に乗り上げる。そして図１９に示すようにパターの振り出し角度θ４が小さい間は、ボール６の重量による軌条体３の撓みのため、軌条体３の２個の軌条体構成部材３ａ、３ａに跨った状態で床面３０上を転走するものの、図２０に示すように振り出し角度θ５まで増大すると軌条体３は、実線で示すように、撓んだまま円弧状軌跡Ｓに沿って上昇し、上記と同様ボール６は軌条体３上で制動され、軌条体３上を転がって元の位置に戻ってくる。打撃動作の終了後は軌条体３は自身の弾性力により図１６のように元のわん曲形状に復帰する。
【００５８】
なお、本第３実施形態例は、第１及び第２実施形態例とは異なり、２個の軌条体構成部材３ａ、３ａの弾性力の強弱、その長さ、上記振り出し角度の大小等によって打撃練習時の軌条体３及びボール６の挙動はさまざまに変化し極めて興味深い練習が行える。以下その例を説明する。
【００５９】
▲１▼軌条体３が比較的長く、軌条体構成部材３ａ、３ａの弾性力が弱い場合は、パターの振り出し角度が図２０に示す角度θ５のように増大しても、軌条体３はその先端部を破線で示すように略床面３０に接するように大きく撓み、ボール６は上記第２実施形態例における軌条体３の時計方向回転の許容角度θ３を大きくした場合のように、軌条体３の先端に辿りつくまで床面３０上を転がりつづける。この場合、ボール６を元の位置に戻してくるには、ヘッド４０を元の位置に戻し、ストッパー部材５で引っかけるようにしてボール６を床面３０上を転がしながら戻してくればよい。
【００６０】
▲２▼軌条体構成部材３ａ、３ａの弾性力を弱く、軌条体３を直線状に形成した場合は、軌条体３が比較的長くても打撃後のボールを床面上を転走させながら軌条体３の先端部まで到達させることができる。
【００６１】
〔第４実施形態例〕
図２１〜図２３は本発明の第４実施形態例であるゴルフ練習器を示す図である。図２１はゴルフ練習器の側面図、図２２はその作用を説明するための側面図である。本第４実施形態例では軌条体３のわん曲半径は図２１に示すように練習者がスイングした場合にヘッド４０の底部の描く円弧状軌跡Ｓの半径と略同じになるように構成され、２個の軌条体構成部材３ａ、３ａは図２３に示すようにその後端部おいて一体的にまとめられ、取付け手段としての取付けビス４０ａによりヘッド４０の底部に取付けられている。なお、図２３は軌条体３をヘッド４０に取り付けるための取付手段を示す図で、ヘッド４０の近傍のみを上下反転した部分斜視図である。
【００６２】
上記構成のゴルフ練習器において、練習に際して、図２１に示すように、軌条体３の底面が床面３０から微小寸法ｂ（図４の寸法ｂと同じ）だけ上方に浮かした状態にパター２３を構える。この寸法ｂは図３に示す寸法ａより小さい。このことからボール６は軌条体構成部材３ａ、３ａに接することなく、床面３０上に静止している。
【００６３】
次に、図２２に示すようにヘッド４０を後方に引いてテークバックをとるが、上記したように、軌条体３のわん曲半径が練習者の円弧状軌跡Ｓの半径と略同じであるため、軌条体が後方に移動してもボール位置における軌条体３の床面からの高さ寸法は変化せず、従って２個の軌条体構成部材３ａ、３ａは床面３０上に静止しているボール６に接触することなくテークバックが終了する。次にヘッド４０を前方に振り出してボール６を打撃するが、打撃の瞬間までは前記テークバックするときと逆の過程を経て２個の軌条体構成部材３ａ、３ａはボール６に接することなく、ボール６の中心より下方の側部をすり抜け前方に移動し、ヘッド４０で打撃する。
【００６４】
打撃されたボール６は上記と同様に、軌条体３に接することなく或る距離だけ床面を転走し、その後において円弧状軌跡Ｓに沿って上昇する軌条体３にすくわれるように乗り上げ、軌条体３の勾配の増加によって制動され、軌条体３上を転がって元の位置に戻ってくる。本実施形態例のように軌条体３のわん曲半径と、練習者によるヘッド４０の底面が描く円弧状軌跡Ｓの半径を略等しくすることにより、上記各実施形態例のような傾動機構が不要となる。
【００６５】
なお、本第４実施形態例では２個の軌条体構成部材３ａ、３ａはその後端部において一体的にまとめられ、取付けビス４０ａによりヘッド４０の底部に取付けた構成としたが、２個の軌条体構成部材３ａ、３ａの後端部をそれぞれ基板１に固着し、前記第１実施形態例と同様に基板１を介して軌条体３をヘッド４０に取付けることもできる。
【００６６】
〔第５実施形態例〕
本発明のゴルフ練習器は、上記実施形態例で述べたように、打撃されたボール６は打撃位置から前方に或る距離だけ軌条体３に接触することなく床面を転走して軌条体３に乗り上げる。従って本発明のゴルフ練習器はパターの打撃面から前方に向けて或る区間は軌条体３は必ずしも必要なものではない。
【００６７】
図２４及び図２５は上記観点からヘッド４０の打撃面の前方の或る区間には軌条体を設けず、この区間は基板１と軌条体３を構成する軌条体構成部材３ａ、３ａを連結部材３２で連結したものである。なお、図２４は第５実施形態例のゴルフ練習器の一部を示す平面図である。
【００６８】
図２４において、ヘッド４０の打撃面から前方に向けて或る寸法Ｌの区間には軌条体構成部材３ａ、３ａは設けられておらず、この区間においては、２個の軌条体構成部材３ａ、３ａと基板１とは連結部材３２、３２で連結されている。連結部材３２と３２の間隔は本実施形態例ではボール６の直径より大きくなっている。軌条体構成部材３ａ、３ａの後端３ａ’、３ａ’は打撃されて床面３０を転がったボール６が軌条体３に接する部位３３、３３より適当寸法後方（−ｘ方向）に位置している。
【００６９】
連結部材３２、３２は軌条体３の幅方向外側に向けて膨らんだ形に形成され、その前端は図示するように軌条体構成部材３ａ、３ａの後端に一体的に連結され、連結部材３２、３２の後端はヒンジピン１０、１０を介して打撃面当接体７、７に連結される。連結部材３２、３２の後端にはヒンジピン取付部材９ｂ、９ｃが設けられ、上記第１実施形態例において図１に示した初期状態からの基板１に対する軌条体３の時計方向回動は図２５に示すようにヒンジピン取付部材９ｂ、９ｃから後方に向けて突出して設けられたストッパー部材３４、３４が打撃面当接体７、７に接触することにより阻止される。
【００７０】
本第５実施形態例における検知機構４は連結部材３２、３２に設けられている。検知機構４は一連のスイング動作時にボールの両側をすり抜ければよいわけであるから、本実施形態例のように検知機構４は軌条体３でなく、連結部材３２、３２に取り付けられていても上記各実施形態例と同様の作用効果を奏する。なお、上記した以外は第５実施形態例は第１実施形態例と略同一であり、図２５は図２４のＩ部分を示す部分斜視図である。
【００７１】
〔第６実施形態例〕
図２６〜図２８は第６実施形態例のゴルフ練習器を示す図で、図２６は一部分を示す側面図、図２７は部分平面図、図２８は部分斜視図である。図示するように基板１には前後に支持部材３５、３６が立設され、これら支持部材にはｘ方向一線上に孔３７、３８が設けられている。３９は基板１をパターのヘッド４０に取り付けるための支持ピンであり、該支持ピン３９の前方には小径の雄ネジが、また後端にはローレットつまみ部が設けられている。
【００７２】
ピンの前方には止め輪４１が設けられ、該止め輪４１の後面からローレットつまみ部までの寸法は支持部材３５と３６の間隔と略同じである。基板１の両側部にはヒンジピン取付部材４２、４２が設けられ、該ヒンジピン取付部材４２、４２と軌条体構成部材３ａ、３ａの後部に設けられたヒンジピン取付部材４３、４３とはヒンジピン１０、１０で連結されている。
【００７３】
支持部材３５、３６の孔３７、３８には支持ピン３９が回転可能に挿入され、抜け出し防止の止め輪４１が支持ピン３９に設けられた溝に嵌め合わされている。ヒンジピン取付部材４３、４３より後方の軌条体構成部材３ａ、３ａは基板１の底面と適当間隔の隙間ｇを介して配置され、軌条体３の後端部の上向きの折曲部４４、４４が基板１の底面に接した状態で図２６に示すように基板１のわん曲線の前部における接線と軌条体３のわん曲線の後部における接線が略同じ傾きになっている。
【００７４】
上記のように構成された基板１と軌条体３は支持ピン３９前端の小径雄ネジ部をパターヘッド４０の後面に設けた雌ネジ止まり穴にねじ込むことによってヘッド４０に取り付け固定する。このように取り付けた状態で図２６に示すように、軌条体３は基板１、すなわちヘッド４０に対して実線で示す状態から破線で示すように反時計方向には角度θ６だけ回転可能であるものの、時計方向の回転は軌条体構成部材３ａ、３ａの後部の折曲部４４、４４と基板１の底面の接触によって阻止される。なお、上記軌条体３の反時計方向回転を許容するため、基板１及び軌条体３をヘッド４０に取り付けた状態で、ヘッド４０と軌条体３の間には上下方向に適当な寸法の隙間が設けられている。
【００７５】
本第６実施形態例は上記のように構成されており、上記第１実施形態例と同様な作用、効果を奏する。そして特に、本実施形態例ではパター２３のヘッド４０に取り付けられた状態で、支持ピン３９を軸にして、基板１と軌条体３が適当角度だけ自由に回転できるので、パター２３を構えた状態における床面３０とシャフト２３ａのなす角度、即ち図４に示す角度θが練習者により異なっている場合でも、床面３０に軌条体３を接触させるだけで、軌条体３と基板１がパターのヘッド４０に対して自動的に回転し、２個の軌条体構成部材３ａ、３ａのうちの一方だけが床面３０に接し、他方が床面３０から浮くという不具合を解消することができる。
【００７６】
〔第７実施形態例〕
図２９は本発明の第７実施形態例のゴルフ練習器を示す分解斜視図であり、本実施形態例ではパターのシャフト２３ａに基板及び軌条体３を取り付けるように構成したものである。同図において、１３５ａ、１３５ｂは締め付けビス１３６ｃ、１３６ｃにより着脱自在にパターのシャフト２３ａに締め付け固定できる二つ割りクランプ１３５のクランプ片、１３６はクランプ片１３５ａの後方にｘ方向に固着された軸、１３８は軸１３６に回動・摺動自在に遊嵌された筒状部材１３７を軸１３６に固着するための押ネジ、１３９は筒状部材１３７の下方に固着されその下辺がｚ方向に伸びる逆Ｌ字状部材である。
【００７７】
また、１４０は該逆Ｌ字状部材１３９の下辺に回動摺動可能に遊嵌され下方にｘ方向の孔１４１を有する板状部材１４２が固着された筒状部材、１４３は筒状部材１４０を逆Ｌ字状部材１３９に固着する押ネジ、１はヘッド４０の底部に配置され前方が二股状に開いた二股状の基板、１４５はｘ方向の孔１４６を有し二股状の基板１の後方に立設された板状部材、１４７は板状部材１４５と板状部材１４２を固定するためのビス、１４８はビス１４７に螺入されるナット、２、２は二股状基板１の前端と軌条体構成部材３ａ、３ａの後端を連結した傾動機構である。
【００７８】
上記ゴルフ練習器は、締め付けビス１３６ｃ、１３６ｃを抜き、二つ割りクランプ１３５をシャフト２３ａから取り外すことができ、着脱自在に軌条体３をパターに取り付けることができる構造となっている。なお、この取り付け構造によれば、ヘッド４０に対する軌条体３のｙ、ｚ方向の調整が行え、更にナット１４８を緩め、軌条体３をビス１４７を軸にして回動することにより、軌条体３の幅方向（ｚ方向）とシャフト２３ａのなす角度を調整することができる。なお、本第７実施形態例において、上記以外は検知機構４を含め上記各実施形態例と略同じである。
【００７９】
〔第８実施形態例〕
図３０は本発明の第８実施形態例のゴルフ練習器を示す部分側面図である。本ゴルフ練習器はヘッドの後部が略垂直に形成されたパターのヘッド部に取り付けることができるようにしたものである。同図において、７０は上部にはｘ方向に貫通した雌ネジ孔７１をまた下面には雌 ネジ孔７２を有する押圧用支持部材であり、雌ネジ孔７１には後端部にローレットつまみ７３、また前端部には押圧座金７４を設けた押ネジ７５がねじ込まれる。また、押圧用支持部材７０は基板１に複数個設けられた孔の下方から挿入したビス７６をねじ込むことによって複数個の孔のいずれの位置にも取り付けることができる。
【００８０】
本第８実施形態例のゴルフ練習器は上記のように構成されており、前記形状のパターのヘッド４０に取り付けるには、押圧支持部材７０を基板１に取り付けた後、ヘッド４０の打撃面を基板１に設けられた打撃面当接体７、７に宛てがい、ヘッド４０の底面を基板１の両側部にのせる。次に押ネジ７５を回し、押圧座金７４を介してへッド４０を押圧する。これによりヘッド４０は押圧座金７４と打撃面当接体７、７に挟まれて摩擦固定される。
【００８１】
〔第９実施形態例〕
図３１及び図３２は本発明のゴルフ練習器に用いる検知機構の他の構成例を示す図であり、図３１は軌条体３の長手方向から見た正面図、図３２は一部分解組立斜視図である。本検知機構４は軌条体構成部材３ａ、３ａには長孔６０を設けた一対の互いに対向して配置された検知部材取付座６１が大きく軌条体３の外方に突出して取り付けられている。該検知部材取付座６１には下面に雌ネジ孔６２を有する検知部材支持筒６３がビス６４により取り付けられている。該検知部材支持筒６３の上面には雌ネジ孔６５が設けられている。
【００８２】
検知部材支持筒６３の雌ネジ孔６５が設けられた部分には軌条体３の幅方向（ｚ方向）に貫通する小さな孔６６が設けられている。該孔６６には細いピアノ線のようなスプリング弾性を有する線材６７と、その内側端に固着された球状の検知子６８からなる検知部材１５の線材６７が挿入される。線材６７はローレットビス６９により支持筒６３に固着される。また、該ローレットビス６９を緩めれば、線材６７は孔６６に対して摺動自在である。
【００８３】
上記のように構成された検知機構４は、ローレットビス６９を緩めて線材６７を孔６６に対して摺動し、その後においてローレットビス６９を締め付けることにより、球状の検知子６８、６８の間隙を上記第１実施形態例における図８、図９の寸法ＥからＦの範囲で自由に調整できる。
【００８４】
更に本第９実施形態例における検知機構では、線材６７の支持筒６３に対する摺動と、長孔６０を用いての検知部材取付け座６１に対する支持筒６３の摺動とを独立に行えることから、球状の検知子６８と６８の間隔を一定に保った状態で、球状の検知子６８から支持筒６３までの線材６７の長さ、即ち検知部材１５の弾性力の強弱を自由に調整できる。
【００８５】
上記のように構成された検知機構４は打撃練習に際し、万一スイングの不正により検知部材１５がボール６に接触した場合でも、図３２の破線で示すように検知部材１５のほうが弾性変形し、ボール６への衝撃が少なく、従って床面３０上のボール６の位置がそれほど大きく変わることがないので、一連の打撃動作をそのまま続行してボール６を打撃できるという大きな利点がある。
【００８６】
〔第１０実施形態例〕
図３３は本発明のゴルフ練習器に用いる検知機構の他の構成例を示す図である。図示するように、第１実施形態例の検知部材１５の内側に弾性を有する柔らかい毛１８０を植毛し、ブラシ状の検知部材１５としたものである。検知部材１５をこのように構成すると上記と同様スイングにより軌条体３が幅方向に振れ検知部材１５がボール６に接触した場合でも、毛１８０が弾性変形するので、床面３０上のボール６の位置にそれほど大きい狂いが生じず、従って一連の打撃動作をそのまま続けてボール６を打撃することができる。こうした効果は図示のように毛長さの短いブラシ状とせず十分に長い毛を少数本設けることで一層顕著になる。
【００８７】
〔第１１実施形態例〕
図３４、図３５は本発明のゴルフ練習器に用いる検知機構の他の構成例を示す図である。本検知機構は図示するように、２個の軌条体構成部材３ａ、３ａを連結した補強部材４５の両端部に雌ネジ孔を有するアーム２７１を一体的に設け、該雌ネジに雄ネジ部を有する検知部材１５を先端が補強部材４５の内側になるようにねじ込み後端にローレットつまみ２７２を設けたものである。なお２７３は検知部材１５をアーム２７１に固定するためのローレットナットである。
【００８８】
上記構成の検知機構はローレットナット２７３を緩めて検知部材１５を回転させることにより、一対の対向した検知部材１５、１５の先端の間隔を自由に調整できる。その後ローレットナット２７３を締めてこの間隔を固定する。検知機構４をこのように構成しても上記各検知機構４と同様な作用効果を有する。
【００８９】
〔第１２実施形態例〕
図３６は本発明のゴルフ練習器に用いる検知機構の他の構成例を示す図である。本検知機構は図示するように、線材で形成された一対の検知部材１５、１５を２個の軌条体３の長手方向に沿って互いに対向して設けた構成である。即ち軌条体３を構成する２個の軌条体構成部材３ａ、３ａのそれぞれには所定寸法離れた位置に２個の検知部材取付座２６０ａ、２６０ａが設けられ、これら検知部材取付座２６０ａ、２６０ａにはそれぞれ支持筒２６３ａ、２６３ａが設けられている。それぞれの支持筒２６３ａ、２６３ａには小孔２６６が設けられている。一対の支持筒２６３ａ、２６３ａの小孔２６６、２６６に検知部材１５、１５の折曲部を挿入しローレットナット２６９で締め付けることにより、検知部材１５、１５を支持筒２６３ａ、２６３ａに固定する。
【００９０】
上記構成の検知機構４において、ローレットナット２６９を緩め、検知部材１５、１５における軌条体３と平行な部分の間隔寸法Ｇを図８、図９に示す寸法ＥからＦの範囲で調整し、ローレットナット２６９を締め付け前記と同様検知部材１５、１５を支持筒２６３ａ、２６３ａに固定する。
【００９１】
本第１２実施形態例の検知機構４は上記各検知機構４と同様の作用効果を奏することは無論であるが、特に本実施例のものは、検知部材１５、１５が軌条体３の長さ方向、即ち打撃練習時のヘッドの振り出し方向に長く設けられているので、スイング時に検知部材１５、１５がボール６をすり抜ける様子が上から視認しやすく、従って高精度のスイングの管理が行える。
【００９２】
〔第１３実施形態例〕
図３７は本発明のゴルフ練習器に用いる検知機構の他の構成例を示す図である。本検知機構４は検知部材１５、１５の先端がボール６の中心より下方に対向するように配置されている。即ち、検知部材取付座６０ａ、６０ａ及び支持筒６３、６３を介して軌条体構成部材３ａ、３ａに取り付けられた検知部材１５、１５はボール６の中心より下方に配置されている。
【００９３】
なお、このように検知部材を低く設定すると、打撃後のボール６が軌条体構成部材３ａ、３ａ上を転がって戻ってくる場合、ボール６が検知部材１５、１５に引っ掛かり戻りが悪くなるが、検知部材１５、１５を柔らかい弾性を有する線材で構成すれば戻って来るボール６は検知部材１５、１５を後方に押し分けてヘッドまで戻る。
【００９４】
〔第１４実施形態例〕
図３８は本発明のゴルフ練習器に用いる検知機構の他の構成例を示す図である。本検知機構は高技能を有する練習者に適したもので、検知部材１５ａ、１５ａは２個の軌条体構成部材３ａ、３ａの一部が内側に向かって突出するように、該軌条体構成部材３ａ、３ａと一体的に形成されている。検知部材１５ａの先端と検知部材１５ａの先端との間隔Ｊは床面に静止したボール６の下側に検知部材１５ａ、１５ａの先端が接触しない所定の寸法とする。
【００９５】
上記のように検知機構４を構成しても検知部材１５ａ、１５ａの先端がボールの下側に接触しないようにスイングすることにより正しい打法の練習が行える。本構成例では検知部材１５ａと１５ａの間隔を調整することはできないが、この間隔を高技能者の規範と考え得るようにしておけば、かえって正しいスイングに向けての練習が行いやすいという利点がある。なお、図３９は図３８のＫ−Ｋ線上断面図である。
【００９６】
上記実施形態例ではいずれも検知機構４を１個所に設けているが、該検知機構４は軌条体３の長手方向に沿って複数個所設けることもできる。また、検知機構４は軌条体３の長手方向に沿って移動可能に構成することも可能である（このためには軌条体３の長手方向のいろいろな位置に取り付け孔等を設けどの孔にでも検知部材等を取り付けできるように構成する。検知機構４は軌条体３の前方に配置するほど高精度なスイングが要求される）。また、検知機構４の検知部材の間隔は調整できないような構造としても良い（図３８に示す例のように）。
【００９７】
なお、これまでの説明ではおもに検知機構を軌条体に取り付けた構成例を述べたが、本発明ゴルフ練習器の検知機構は軌条体をパターに取り付けた状態でヘッドの打撃面より前方に設けられていれば、どの部分に取り付けられていても同様の作用効果を奏する。すなわち、検知機構は図２４に示したように軌条体と取付け手段を連結した連結部材にも取り付けることができるし、これと類似した連結部材等にも取り付けることができる。また更に、前記検知機構は取付け手段に対して傾動し得ることが必ずしも必要でないことから、軌条体をパターに取り付けるための取付け手段にも取り付けることができる。そしてこのように取付け手段に取り付ける場合は、例えば取付け手段から前方に向けて検知機構を取り付けるための図示を省略した部材を延設し、この延設した部材等にも取り付けることができる。
【００９８】
〔第１５実施形態例〕
図４０（ａ）、（ｂ）は本発明のゴルフ練習器に用いる傾動機構の他の構成例を示す図である。同図に示す傾動機構はいずれもゴム、皮革、柔軟性のあるプラスチック等屈曲性を有する部材を用いて軌条体３を傾動できるようにしたものである。図４０（ａ）においては、基板１の前端に設けられた打撃面当接体７、７と軌条体３の後部は、屈曲可能なゴム、皮革等からなる略Ｌ字状の可撓体５４で、接着剤５４ａにより一体的に固着される。以上のように構成された傾動機構は、同図（ｂ）に示すように可撓体５４を屈曲させて軌条体３を基板１に対して角度θ７だけ反時計方向に傾動させることが容易であるが、時計方向の回転は実質的に阻止されるので前記第１実施形態例の傾動機構と同様の作用効果を奏する。
【００９９】
〔第１６実施形態例〕
図４１（ａ）は本発明のゴルフ練習器に用いる軌条体の傾動機構の他の構成例を示す図である。本傾動機構は皮革等の可撓可能な材料を用いて軌条体３を傾動し得るように構成したものである。同図において、基板１の両側部前端には前方に向けて突出した部材５２が設けられている。５３は適度な可撓性を有する皮革等からなる可撓材であり、この可撓材５３は前記部材５２の前端面が軌条体構成部材３ａの後端面に密接した状態で部材５２と軌条体構成部材３ａの上面に跨るように貼着されている。
【０１００】
上記構成の軌条体の傾動機構は図４１（ｂ）に示すように、可撓材５３を屈曲させて軌条体３を基板１に対して反時計方向に角度θ８回転させることは容易であるが、時計方向の回転は実質的に阻止される。なお、上述の傾動機構は上記第１実施形態例のゴルフ練習器にも適用できる。
【０１０１】
〔第１７実施形態例〕
図４２（ａ）は本発明のゴルフ練習器に用いる軌条体の傾動機構の他の構成例を示す図である。本傾動機構は軌条体３の途上に設け、後方の軌条体３に対して前方の軌条体３が傾動するように構成されている。基板１に固着され、前方に伸びた軌条体３はその後方寄りの一部の区間が切除され、該切除区間の軌条体３は皮革、ゴム等の可撓性を有する可撓材５３を介して接着等により連結されている。
【０１０２】
上記構成の軌条体の傾動機構は、図４２（ｂ）に示すように基板１に対して、図４２（ａ）の状態から反時計方向に角度θ９だけ回転できるとともに、図４２（ｃ）に示すように、図４２（ａ）の状態から時計方向に角度θ１０だけ回転することができ、前記第２実施形態例のゴルフ練習器に適用した場合はヒンジピンを用いたのと同様な作用効果を奏する。
【０１０３】
〔第１８実施形態例〕
図４３〜図４６は本発明のゴルフ練習器に用いる軌条体の形状を示す図である。図４３に示す軌条体３は異なる半径のわん曲線を組み合わせたものである。また、図４４に示す軌条体３は略水平な直線状に構成されたものである。また、図４５に示す軌条体３は前方上がりの直線状に構成したものである。また、図４６に示す軌条体３は直線状に形成した軌条体３の前方に、更にわん曲した軌条体を一体的に構成したものである。
【０１０４】
なお、上記した図４３〜図４６は前記第１、第２実施形態例のゴルフ練習器と同様に基板１と軌条体３がヒンジピン等の傾動機構を介して連結された例を示したが、これら図４３〜図４６に示した軌条体の形状は、例えば第３実施形態例に示したように軌条体を可撓性を有する材料で構成する場合や、第４実施形態例に示すように、基板を設けずにヘッドに軌条体を取付けるように構成した場合にも適用できる。
【０１０５】
【発明の効果】
以上説明したように本発明によれば、床面に静止するボールに対する２個の軌条体構成部材の幅方向の振れを検知する検知手段を設け、検知手段は軌条体の長手方向中心線に略対称な位置に設けられた検知部材を具備し、検知部材には該検知部材の軌条体幅方向の間隔を調整することができる調整手段を設けているので、検知部材の軌条体幅方向の間隔を調整して、スイングの不安定な初心者から高い技能を備えた者までが簡単に打撃練習を繰り返すことができ、ヘッドのスイートスポットをボールの中心を通る目標線から逸脱させないようにスイングする高精度のスイングが習得できるという優れた効果が得られる。
【図面の簡単な説明】
【図１】本発明のゴルフ練習器の構成例を示す側面図である。
【図２】図１に示すゴルフ練習器の平面図である。
【図３】図２に示すゴルフ練習器のＡ−Ａ断面図である。
【図４】図１に示すゴルフ練習器のＢ−Ｂ断面図である。
【図５】図２に示すゴルフ練習器のＣ部分の分解斜視図である。
【図６】図１に示すゴルフ練習器のＤ−Ｄ断面図である。
【図７】本発明のゴルフ練習器に用いる検知機構の分解斜視図である。
【図８】図７に示す検知機構の作動を説明するための図である。
【図９】図７に示す検知機構の作動を説明するための図である。
【図１０】図１に示すゴルフ練習器の作動を説明するための側面図である。
【図１１】本発明のゴルフ練習器の他の構成例を示す側面図である。
【図１２】図１１に示すゴルフ練習器の作用を説明するための側面図である。
【図１３】図１１に示すゴルフ練習器の作用を説明するための側面図である。
【図１４】図１１に示すゴルフ練習器の作用を説明するための側面図である。
【図１５】図１１に示すゴルフ練習器の応用例の作用を説明するための図である。
【図１６】本発明のゴルフ練習器の他の構成例を示す側面図である。
【図１７】図１６に示すゴルフ練習器のＨ−Ｈ断面図である。
【図１８】図１６に示すゴルフ練習器の作用を説明するための側面図である。
【図１９】図１６に示すゴルフ練習器の作用を説明するための側面図である。
【図２０】図１６に示すゴルフ練習器の作用を説明するための側面図である。
【図２１】本発明のゴルフ練習器の他の構成例を示す側面図である。
【図２２】図２１に示すゴルフ練習器の作用を説明するための側面図である。
【図２３】図２１に示すゴルフ練習器のヘッド近傍を上下反転した部分斜視図である。
【図２４】本発明のゴルフ練習器の他の構成例を示す平面図である。
【図２５】図２４に示すゴルフ練習器のＩ部分の斜視図である。
【図２６】本発明のゴルフ練習器の他の構成例を示す部分側面図である。
【図２７】図２６に示すゴルフ練習器の部分平面図である。
【図２８】図２６に示すゴルフ練習器の部分斜視図である。
【図２９】本発明のゴルフ練習器の他の構成例を示す分解斜視図である。
【図３０】本発明のゴルフ練習器の他の構成例を示す部分側面図である。
【図３１】本発明のゴルフ練習器に用いる検知機構の他の構成例を示す図である。
【図３２】本発明のゴルフ練習器に用いる検知機構の他の構成例を示す図である。
【図３３】本発明のゴルフ練習器に用いる検知機構の他の構成例を示す図である。
【図３４】本発明のゴルフ練習器に用いる検知機構の他の構成例を示す図である。
【図３５】本発明のゴルフ練習器に用いる検知機構の他の構成例を示す図である。
【図３６】本発明のゴルフ練習器に用いる検知機構の他の構成例を示す図である。
【図３７】本発明のゴルフ練習器に用いる検知機構の他の構成例を示す図である。
【図３８】本発明のゴルフ練習器に用いる検知機構の他の構成例を示す図である。
【図３９】図３８に示すゴルフ練習器のＫ−Ｋ断面図である。
【図４０】図４０（ａ）は  本発明のゴルフ練習器の傾動機構の他の構成例を示す部分側面図、同図（ｂ）は作用を説明するための図である。
【図４１】図４１（ａ）は  本発明のゴルフ練習器の傾動機構の他の構成例を示す部分側面図、同図（ｂ）は作用を説明するための図である。
【図４２】図４２（ａ）は  本発明のゴルフ練習器の傾動機構の他の構成例を示す部分側面図、同図（ｂ）及び（ｃ）は作用を説明するための図である。
【図４３】本発明のゴルフ練習器の他の構成例を示す側面図である。
【図４４】本発明のゴルフ練習器の他の構成例を示す側面図である。
【図４５】本発明のゴルフ練習器の他の構成例を示す側面図である。
【図４６】本発明のゴルフ練習器の他の構成例を示す側面図である。
【図４７】従来のゴルフ練習器におけるボールと軌条体断面の位置関係を示す図である。
【符号の説明】
１            基板
２            傾動機構
３            軌条体
４            検知機構
５            ストッパー部材
６            ボール
７            打撃面当接体
１５          検知部材
【図１】
0004039540.tif 000002
【図２】
0004039540.tif 000003
【図３】
0004039540.tif 000004
【図４】
0004039540.tif 000005
【図５】
0004039540.tif 000006
【図６】
0004039540.tif 000007
【図７】
0004039540.tif 000008
【図８】
0004039540.tif 000009
【図９】
0004039540.tif 000010
【図１０】
0004039540.tif 000011
【図１１】
0004039540.tif 000012
【図１２】
0004039540.tif 000013
【図１３】
0004039540.tif 000014
【図１４】
0004039540.tif 000015
【図１５】
0004039540.tif 000016
【図１６】
0004039540.tif 000017
【図１７】
0004039540.tif 000018
【図１８】
0004039540.tif 000019
【図１９】
0004039540.tif 000020
【図２０】
0004039540.tif 000021
【図２１】
0004039540.tif 000022
【図２２】
0004039540.tif 000023
【図２３】
0004039540.tif 000024
【図２４】
0004039540.tif 000025
【図２５】
0004039540.tif 000026
【図２６】
0004039540.tif 000027
【図２７】
0004039540.tif 000028
【図２８】
0004039540.tif 000029
【図２９】
0004039540.tif 000030
【図３０】
0004039540.tif 000031
【図３１】
0004039540.tif 000032
【図３２】
0004039540.tif 000033
【図３３】
0004039540.tif 000034
【図３４】
0004039540.tif 000035
【図３５】
0004039540.tif 000036
【図３６】
0004039540.tif 000037
【図３７】
0004039540.tif 000038
【図３８】
0004039540.tif 000039
【図３９】
0004039540.tif 000040
【図４０】
0004039540.tif 000041
【図４１】
0004039540.tif 000042
【図４２】
0004039540.tif 000043
【図４３】
0004039540.tif 000044
【図４４】
0004039540.tif 000045
【図４５】
0004039540.tif 000046
【図４６】
0004039540.tif 000047
【図４７】
0004039540.tif 000048